(57)【特許請求の範囲】
【請求項１】
玄米または精白米から屑粒を除去する穀類選別装置であって、被選別穀類に混在する屑粒を回転多孔面から分離除去する多孔選別回転筒を備え、機体外装体内の一端部には少なくとも１２０度の回転角位置に受ロールを設けて、機体外装体の他端部から挿入した多孔選別回転筒を、その一端部の外周を上記少なくとも１２０度の回転角位置に設けた受ロールで支持し、かつ他端部の軸心を電動機の出力軸に連結して回転自在に支持する構成であり、上記受ロールのうち多孔選別回転筒の下側を支持するものを上側を支持するものより多孔選別回転筒の挿入方向の手前側に配置してあることを特徴とする穀類選別装置。
【請求項２】
玄米または精白米から屑粒を除去する穀類選別装置であって、被選別穀類に混在する屑粒を回転多孔面から分離除去する多孔選別回転筒を備え、多孔選別回転筒は、被選別穀類の搬入側が細粒を抜く細長孔を多数形成した構成であり、被選別穀類の搬出側が欠損粒を抜く正方形孔を多数形成した構成であることを特徴とする穀類選別装置。
【請求項３】
多孔選別回転筒は、その内面に沿って筒長方向に棒状体を設けて成るものであることを特徴とする請求項２記載の穀類選別装置。
【発明の詳細な説明】
【０００１】
【発明の属する技術分野】
本発明は、籾摺機で籾摺りした玄米または精米機で精米した精白米から屑粒を除去する穀類選別装置に関する。
【０００２】
【従来の技術】
籾摺機で籾摺りした玄米または精米機で精米した精白米は、穀粒の表面が摩擦や研削作用を受けるところから、穀粒の一部に破砕が生じたり、変形が生じることは避けられない。このため、従来から、玄米または精白米を粒状選別して屑粒を除去する穀類選別装置としてライスグレーダが広く用いられている。
【０００３】
【発明が解決しようとする課題】
従来のライスグレーダは、機体外装体内に多孔選別回転筒を備え、機体外装体の外部に多孔選別回転筒の駆動電動機を設けているうえ、被選別穀類を投入するホッパが機体外装体から外部に大きく膨出した構成を成しているので、穀類の選別能力からみて機体が全体に大型に成らざるを得ず、使用面、設置面、運搬または保管面等の何れにおいても甚だ不便であるばかりでなく、機能的にも多様性に乏しいものであった。
【０００４】
ところで、精白米は種々の要因がその品位に影響するが、整粒中の欠損粒や細粒が混在する比率は精白米の品位に及ぼす最も大きい要素であるから、高品位の精白米を得るには、精米後に欠損粒や細粒を極く低い比率まで選別除去することが求められる。
【０００５】
従来、玄米の選別に用いるライスグレーダは、概ねそのまま精白米の選別にも用いられている。しかしながら、ライスグレーダは、所要メッシュの多孔状選別回転筒内に被選別精白米を入れて、選別筒を回転させるか選別筒内に設けた螺旋体によって被選別精白米を動かすことにより、整粒中に混在する欠損粒や細粒を選別筒外に排除するのであるから、いわゆる半欠け米または胴割れ米と称される欠損粒は、粒の一部が欠損しているだけで整粒に比して粒長が短いものの粒径は整粒と異ならないものも多く、細粒は選別除去できても欠損粒を十分に除去できないのが実状である。
【０００６】
そこで、本発明は、機体の大幅な小型化を図って、使用面、設置面、運搬または保管面等の何れにおいても便利であるばかりでなく、機能の多様性を図って、単独使用はもとより他の穀類調製装置との構造上または機能上の一体化を図ることができる穀類選別装置を提供することを目的とする。
【０００７】
【課題を解決するための手段】
本発明に係る穀類選別装置は、玄米または精白米から屑粒を除去する穀類選別装置であって、被選別穀類に混在する屑粒を回転多孔面から分離除去する多孔選別回転筒を備え、機体外装体内の一端部には少なくとも１２０度の回転角位置に受ロールを設けて、機体外装体の他端部から挿入した多孔選別回転筒を、その一端部の外周を上記少なくとも１２０度の回転角位置に設けた受ロールで支持し、かつ他端部の軸心を電動機の出力軸に連結して回転自在に支持する構成であり、上記受ロールのうち多孔選別回転筒の下側を支持するものを上側を支持するものより多孔選別回転筒の挿入方向の手前側に配置してあることを特徴とするものである。
【０００８】
また、本発明に係る穀類選別装置は、玄米または精白米から屑粒を除去する穀類選別装置であって、被選別穀類に混在する屑粒を回転多孔面から分離除去する多孔選別回転筒を備え、多孔選別回転筒は、被選別穀類の搬入側が細粒を抜く細長孔を多数形成した構成であり、被選別穀類の搬出側が欠損粒を抜く正方形孔を多数形成した構成であることを特徴とするものである。
【０００９】
本発明に係る上記穀類選別装置において、多孔選別回転筒は、その内面に沿って筒長方向に棒状体を設けて成るものであることを特徴とするものである。
【００１０】
【発明の実施の形態】
図１ないし図５において、１は穀類選別装置である。この穀類選別装置１は、籾摺機により籾摺りした玄米または精米機により精米した精白米から屑粒を選別除去するものである。穀類選別装置１において、２は多孔選別回転筒である。多孔選別回転筒２は、被選別穀類に混在する細粒を選別排除するメッシュの細長孔３を多数形成した多孔状を成しており（図１破線円Ａ内参照）、円筒状のものである。多孔選別回転筒２は、その一端部が平滑円筒面４を成しており、他端部には円筒内に掛け渡した軸支部５を成している（図６参照）。
【００１１】
図１に示すように、機体外装体６内の一端部には、１２０度の回転角位置に受ロール７，７，７を設けており、多孔選別回転筒２の平滑円筒面４は受ロール７，７，７に支持され、かつ他端部の軸心８は、後述する電動機９の出力軸１０に挿入連結して回転自在に支持する構成である。上記受ロール７，７，７のうち多孔選別回転筒２の下側を支持するものは上側を支持するものより多孔選別回転筒２の挿入方向の手前側に配置してあり（図５参照）、多孔選別回転筒２を挿入する際に、まずその下側を挿入方向の手前側に位置する受ロール７にのせ、次いで上側を受ロール７，７に支持させる手順により、多孔選別回転筒２の装着が容易にできるようになっている。
【００１２】
多孔選別回転筒２内には、その軸心部に電動機室１１が形成されており、この電動機室１１は一端が機体外装体６に固定されている。電動機室１１の上蓋１２は上面に穀類が堆積しないように山形に形成されている。電動機室１１には前述の電動機９が内装されており、電動機９の出力軸１０は電動機室１１の他端から突出している。図６に示すように、多孔選別回転筒２の軸支部５には軸連結部材１３が取り付けられており、多孔選別回転筒２と電動機９の出力軸１０は軸連結部材１３により、多孔選別回転筒２を挿入する際に連結することができるようにしてある。１４は取付ネジである。
【００１３】
１５はホッパである。このホッパ１５は、多孔選別回転筒２内に被選別穀類を投入するためのものであり、ホッパ１５は電動機室１１の一端部で連通しており、電動機室１１はホッパ１５を介して外気に通じている。ホッパ１５に投入した被選別穀類は図１に示すように多孔選別回転筒２内の一端側に搬入される。１６は屑粒排出口、１７は整粒送出口である。
【００１４】
機体外装体６の前後面には、その略幅内に収まる設置横支持部１８と垂直脚部１９からなる脚体２０が着脱自在に備えられている。脚体２０の設置横支持部１８の一端にはキャスタ２１が、他端には高さ調節機構２２を備えている。この高さ調節機構２２により多孔選別回転筒２の傾斜角度を調整することができ、かつ穀類選別装置１を設置位置において不動状態とすることができる。高さ調整機構２２のハンドルは着脱自在としてもよい（図３参照）。
【００１５】
このように、脚体２０を機体外装体６の略幅内に収めることにより、穀類選別装置１の設置場所を広くとる必要がなく、設置が容易であるうえ運搬や保管等においても便利である。脚体２０の設置横支持部１８には、多孔選別回転筒２の整粒送出側にキャスタ２１を、被選別穀類の搬入側に高さ調節機構２２を備えるのが、多孔選別回転体２の傾斜度を選別効率等に応じて調節するのに好適である。
【００１６】
機体外装体８の左右両面には、それぞれ把手２３，２３を備えている。本発明に係る穀類選別装置１は、左右の把手２３，２３を両手で持って容易に運搬したり、また移動することができる。なお、運搬または移動にあたっては、把手２３，２３を持って脚体２０の高さ調節機構２２を少し浮かすだけで、キャスタ２１によりそれを容易に行うことができる。
【００１７】
多孔選別回転筒２には、その内面に沿って筒長方向に棒状体２４を設けている。この棒状体２４は、多孔選別回転筒２内で被選別穀類に衝撃を与えて選別効率を向上させるためのものである。棒状体２４は筒長方向に対して一定の傾きをもたせてあるが、筒長方向に対して平行であってもよい。
【００１８】
多孔選別回転筒２は、必ずしも円筒でなくてもよく、多角形筒であってもよい。なお、多角形筒の場合は前記のような棒状体２４を設ける必要はない。
【００１９】
以上のように構成された穀類選別装置１において、ホッパ１５から投入した被選別穀類は、電動機室１１内の一端部を通って多孔選別回転体２内の一端部に搬入される。そして、被選別穀類は多孔選別回転筒２の回転による撹拌作用を受けながら順次他端側に移動し、その過程で屑粒は回転する多孔面から外部に排出され、残った整粒は他端側から送出される。選別された屑粒は屑粒排出口１６から排出され、整粒は整粒送出口１７から送出される。
【００２０】
ところで、電動機室１１はホッパ１５を介して外気に通じているので、ホッパ１５を介して電動機室１１の換気が行われる。このため、電動機室１１内の電動機９の過度な温度上昇を防止できる。また、ホッパ１５から搬入される被選別穀類が電動機室１１内の一端部を通るので、電動機室１１内の空気は搬入される被選別穀類によって除熱作用を受けることになり、これにより電動機９の放熱が一層効果的に行われることになる。
【００２１】
電動機室１１をホッパ１５に連通させているのは、電動機室１１内の換気により電動機９の放熱を図るのが主な目的であるから、電動機室１１とホッパ１５間は放熱を妨げないような手段で仕切ってもよい。その仕切壁としては熱伝導率の高い薄板または波形状の薄板などであることが好ましい。
【００２２】
本発明に係る穀類選別装置１は、多孔選別回転筒２内に電動機室１１を形成して、電動機室１１内に多孔選別回転筒２を回転駆動する電動機９を設けているので、電動機９は多孔選別回転筒２内に完全に収まっており、装置の大幅な小型化が図られる。
【００２３】
一方、図７に示すように、多孔選別回転筒２内に被選別穀類を投入するホッパ１５を機体外装体６の幅内に設けた構成とすれば、機体外装体６外には電動機９とホッパ１５もともに突出しないので、一層装置の小型化を図ることができる。なお、図７に示す形態において、その他の構成は図１に示すものと同等であるから、同構成の部位には同符号を付して説明を省略する。
【００２４】
また、図８に示すように、多孔選別回転筒２を、被選別穀類の搬入側が図１に示すものと同等の細粒を抜く細長孔３を多数形成した細粒選別部２５であり（図８破線円Ａ内参照）、被選別穀類の搬出側が欠損粒を抜く正方形状孔２６を多数形成した欠損粒選別部２７としている（図８破線円Ｂ内参照）。なお、図８に示す実施の形態において、その他の構成は図１に示すものと同等であるから、同構成の部位には同符号を付して説明を省略する。
【００２５】
図８に示すように構成すれば、被選別穀類に混在する屑粒のうち細粒が細粒選別部２５で選別されたうえ、屑粒のうち欠損粒が欠損粒選別部２７でさらに選別されるので、被選別穀類から細粒ばかりでなく欠損粒も効果的に除去することができる。したがって、この実施の形態のものは、特に精白米の選別装置として好適であり、高品質の精白米を得ることができる。
【００２６】
図８に示す実施の形態では、多孔選別回転筒２を、被選別穀類の搬入側が細粒を抜く細長孔３を多数形成した細粒選別部２５とし、被選別穀類の搬出側が欠損粒を抜く正方形状孔２６を多数形成した欠損粒選別部２７としているが、細粒選別部２５と欠損粒選別部２７を逆に設けてもよいし、また多孔選別回転筒２の筒長方向に細粒選別部２５と欠損粒選別部２７を交互に配置した構成としてもよい。なお、細粒選別部２５および欠損粒選別部２７の孔は、それぞれの目的を達成できる形状および大きさであればよいので、必ずしも図示の形態に特定されるものではない。
【００２７】
穀類選別装置１は、機体外装体６に、その略幅内に収まる設置横支持部１８と垂直脚部１９からなる脚体２０を前後面に着脱自在に備えているので、これを取り外したうえ、図９および図１０に示すように、機体外装体６の両面を挟んでアダプタ２８を取り付け、このアダプタ２８を介して他の穀類調製装置（籾摺機または精米機）２９に一体状に付属装着することができる。したがって、本発明に係る穀類選別装置１によれば、穀類調製装置の構成を簡略化できるうえ、種々の作業工程の合理化と簡素化を図ることができる。
【００２８】
【発明の効果】
本発明によれば、機体の大幅な小型化を図って、使用面、設置面、運搬または保管面等の何れにおいても便利であるばかりでなく、機能の多様性を図って、単独使用はもとより他の穀類調製装置との構造上または機能上の一体化を図ることができる効果が得られる。
【図面の簡単な説明】
【図１】  本発明の一実施の形態に係る穀類選別装置の要部を示す断面図および一部破線円内の拡大図である。
【図２】  本発明の一実施の形態に係る穀類選別装置の全体正面図である。
【図３】  本発明の一実施の形態に係る穀類選別装置の全体斜視図である。
【図４】  図３の縦断側面図である。
【図５】  本発明の一実施の形態に係る穀類選別装置の要部を示す断面図である。
【図６】  多孔選別回転筒およびその周辺の構成を示す斜視図である。
【図７】  ホッパを機体外装体の幅内に設けた形態に係る穀類選別装置の要部を示す断面図である。
【図８】  本発明の他の実施の形態に係る穀類選別装置の要部を示す断面図および一部破線円内の拡大図である。
【図９】  他の穀類調製装置に付属装着するアダプタを備えた形態に係る穀類選別装置の側面図である。
【図１０】  図９の実施の形態に係る斜視図である。
【符号の説明】
１  穀類選別装置
２  多孔選別回転筒
３  細長孔
４  平滑円筒面
５  軸支部
６  機体外装体
７，７，７  受ロール
８  軸心
９  電動機
１０  出力軸
１１  電動機室
１２  上蓋
１３  軸連結部材
１４  取付ネジ
１５  ホッパ
１６  屑粒排出口
１７  整粒送出口
１８  設置横支持部
１９  垂直脚部
２０  脚体
２１  キャスタ
２２  高さ調節機構
２３，２３  把手
２４  棒状体
２５  細粒選別部
２６  正方形孔
２７  欠損粒選別部
２８  アダプタ
２９  他の穀類調製装置（籾摺機または精米機）
【図１】
0003697677.tif 000002
【図２】
0003697677.tif 000003
【図３】
0003697677.tif 000004
【図４】
0003697677.tif 000005
【図５】
0003697677.tif 000006
【図６】
0003697677.tif 000007
【図７】
0003697677.tif 000008
【図８】
0003697677.tif 000009
【図９】
0003697677.tif 000010
【図１０】
0003697677.tif 000011